(57)【要約】【課題】プラズマディスプレイ装置において書込み放電を安定に発生させる。【解決手段】少なくとも１つのサブフィールドの初期化期間においては第１の傾斜波形電圧を発生させ、維持期間の最後においては第１の傾斜波形電圧よりも急峻な勾配で上昇しかつ第１の傾斜波形電圧とは到達電位の異なる第２の傾斜波形電圧を発生させるミラー積分回路５５を備え、定電流発生回路６０の出力電流値を切換えるフォトカプラＰＣ１、ミラー積分回路５５に与える電源電圧を切換えるフォトカプラＰＣ３、ミラー積分回路５５の傾斜波形発生初期電位を切換えるツェナーダイオードＤ１０、ツェナーダイオードＤ１０を電気的に短絡可能なフォトカプラＰＣ２を有し、第２の傾斜波形電圧を発生させてから第１の傾斜波形電圧を発生させるまでの間にフォトカプラＰＣ３のスイッチング状態を一旦切換えてから再度元の状態に戻す。【選択図】図５
2009186718.tif 000002
【特許請求の範囲】
【請求項１】
走査電極と維持電極とからなる表示電極対を有する放電セルを複数備えたプラズマディスプレイパネルと、
初期化期間と書込み期間と維持期間とを有するサブフィールドを１フィールド期間内に複数設け、１フィールド期間の少なくとも１つのサブフィールドの初期化期間においては緩やかに上昇する第１の傾斜波形電圧を発生させ、前記維持期間の最後においては前記第１の傾斜波形電圧よりも急峻な勾配で上昇しかつ前記第１の傾斜波形電圧とは到達電位の異なる第２の傾斜波形電圧を発生させる傾斜波形発生回路を有する走査電極駆動回路とを備え、
前記走査電極駆動回路は、前記傾斜波形発生回路に入力する定電流を発生する定電流発生回路の出力電流値を切換えるフォトカプラからなる第１のスイッチング素子、前記傾斜波形発生回路に与える電源電圧を切換えるフォトカプラからなる第２のスイッチング素子、前記傾斜波形発生回路の傾斜波形発生初期電位を切換えるツェナーダイオード、前記ツェナーダイオードを電気的に短絡可能なフォトカプラからなる第３のスイッチング素子を有し、前記第１のスイッチング素子および前記第２のスイッチング素子および前記第３のスイッチング素子を切換えることで、１つの前記傾斜波形発生回路から、勾配および到達電位の異なる前記第１の傾斜波形電圧と前記第２の傾斜波形電圧とを発生させるとともに、前記第２の傾斜波形電圧を発生させてから前記第１の傾斜波形電圧を発生させるまでの間に前記第２のスイッチング素子の状態を一旦切換えてから再度元の状態に戻すことを特徴とするプラズマディスプレイ装置。
【請求項２】
走査電極と維持電極とからなる表示電極対を有する放電セルを複数備えたプラズマディスプレイパネルを、
初期化期間と書込み期間と維持期間とを有するサブフィールドを１フィールド期間内に複数設け、１フィールド期間の少なくとも１つのサブフィールドの初期化期間においては緩やかに上昇する第１の傾斜波形電圧を発生させ、前記維持期間の最後においては前記第１の傾斜波形電圧よりも急峻な勾配で上昇しかつ前記第１の傾斜波形電圧とは到達電位の異なる第２の傾斜波形電圧を発生させる傾斜波形発生回路を有する走査電極駆動回路を用いて駆動するプラズマディスプレイパネルの駆動方法であって、
前記走査電極駆動回路に、前記傾斜波形発生回路に入力する定電流の電流値を切換えるフォトカプラからなる第１のスイッチング素子、前記傾斜波形発生回路に与える電源電圧を切換えるフォトカプラからなる第２のスイッチング素子、前記傾斜波形発生回路の傾斜波形発生電位を切換えるツェナーダイオード、前記ツェナーダイオードを電気的に短絡可能なフォトカプラからなる第３のスイッチング素子を設け、前記第１のスイッチング素子および前記第２のスイッチング素子および前記第３のスイッチング素子を切換えることで１つの前記傾斜波形発生回路から前記第１の傾斜波形電圧と前記第２の傾斜波形電圧とを発生させるとともに、前記第２の傾斜波形電圧を発生させてから前記第１の傾斜波形電圧を発生させるまでの間に前記第２のスイッチング素子の状態を一旦切換えてから再度元の状態に戻すことを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、走査電極に走査パルス電圧を印加するとともにデータ電極に選択的に書込みパルス電圧を印加して表示を行うべき放電セルに選択的に書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００７】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【０００８】
また、上述の特許文献１には、維持期間における最後の維持パルスのパルス幅を他の維持パルスのパルス幅よりも短くし、表示電極対間の壁電荷による電位差を緩和する、いわゆる細幅消去放電についても記載されている。この細幅消去放電によって、続くサブフィールドの書込み期間における書込み動作を安定させ、コントラスト比の高いプラズマディスプレイ装置を実現することができる。
【特許文献１】特開２０００−２４２２２４号公報
【発明の開示】
【発明が解決しようとする課題】
【０００９】
近年、パネルの高精細化にともない放電セルのさらなる微細化が進んでいる。この微細化された放電セルでは、壁電荷が失われる電荷抜けと呼ばれる現象が生じやすいことが確認されており、この電荷抜けが発生すると、放電不良が発生して画像表示品質を劣化させたり、あるいは、放電の発生に必要な印加電圧が上昇する等の問題が生じる。
【００１０】
電荷抜けが発生する主な原因の１つに書込み動作時の放電ばらつきがある。例えば、書込み動作時の放電ばらつきが大きく、書込み放電が強く発生してしまうと、発光させる放電セルと非発光の放電セルとが隣接したところで、発光させる放電セルが非発光の放電セルから壁電荷を奪ってしまうことがあり、電荷抜けが発生する。
【００１１】
したがって、書込み放電をできるだけ安定に発生させることが、電荷抜けを防止するためには重要である。
【００１２】
一方、近年ではパネルのさらなる大画面化、高精細化が進められており、それにともないパネルの駆動インピーダンスは増大する傾向にある。そして、駆動インピーダンスが増大すると、パネルの駆動回路から発生される駆動波形にリンギング等の波形歪みが生じやすくなる。上述の細幅消去放電は、続くサブフィールドの書込み動作を安定させることを目的としたものであるが、例えば、この細幅消去放電を発生させるための駆動波形に波形歪みが生じると、細幅消去放電そのものが強く発生してしまう恐れがあり、そのような場合には、続く書込み放電を安定に発生させることは難しいといった課題があった。
【００１３】
本発明はこのような課題に鑑みなされたものであり、大画面化、高精細化されたパネルにおいても、書込み放電を安定に発生させることができ、画像表示品質のよいプラズマディスプレイ装置およびパネルの駆動方法を提供することを目的とする。
【課題を解決するための手段】
【００１４】
本発明のプラズマディスプレイ装置は、走査電極と維持電極とからなる表示電極対を有する放電セルを複数備えたパネルと、初期化期間と書込み期間と維持期間とを有するサブフィールドを１フィールド期間内に複数設け、１フィールド期間の少なくとも１つのサブフィールドの初期化期間においては緩やかに上昇する第１の傾斜波形電圧を発生させ、維持期間の最後においては第１の傾斜波形電圧よりも急峻な勾配で上昇しかつ第１の傾斜波形電圧とは到達電位の異なる第２の傾斜波形電圧を発生させる傾斜波形発生回路を有する走査電極駆動回路とを備え、走査電極駆動回路は、傾斜波形発生回路に入力する定電流を発生する定電流発生回路の出力電流値を切換えるフォトカプラからなる第１のスイッチング素子、傾斜波形発生回路に与える電源電圧を切換えるフォトカプラからなる第２のスイッチング素子、傾斜波形発生回路の傾斜波形発生初期電位を切換えるツェナーダイオード、ツェナーダイオードを電気的に短絡可能なフォトカプラからなる第３のスイッチング素子を有し、第１のスイッチング素子および第２のスイッチング素子および第３のスイッチング素子を切換えることで、１つの傾斜波形発生回路から、勾配および到達電位の異なる第１の傾斜波形電圧と第２の傾斜波形電圧とを発生させるとともに、第２の傾斜波形電圧を発生させてから第１の傾斜波形電圧を発生させるまでの間に第２のスイッチング素子の状態を一旦切換えてから再度元の状態に戻すことを特徴とする。
【００１５】
これにより、大画面化、高精細化されたパネルにおいても、書込み放電を安定に発生させることができ、パネルの画像表示品質を向上させることができる。また、１つの傾斜波形発生回路から、勾配および到達電位の異なる第１の傾斜波形電圧および第２の傾斜波形電圧を発生させることが可能となる。また、第１の傾斜波形電圧を波形歪みを低減して発生させることが可能となる。
【００１６】
また、本発明のパネルの駆動方法は、走査電極と維持電極とからなる表示電極対を有する放電セルを複数備えたパネルを、初期化期間と書込み期間と維持期間とを有するサブフィールドを１フィールド期間内に複数設け、１フィールド期間の少なくとも１つのサブフィールドの初期化期間においては緩やかに上昇する第１の傾斜波形電圧を発生させ、維持期間の最後においては第１の傾斜波形電圧よりも急峻な勾配で上昇しかつ第１の傾斜波形電圧とは到達電位の異なる第２の傾斜波形電圧を発生させる傾斜波形発生回路を有する走査電極駆動回路を用いて駆動するパネルの駆動方法であって、走査電極駆動回路に、傾斜波形発生回路に入力する定電流の電流値を切換えるフォトカプラからなる第１のスイッチング素子、傾斜波形発生回路に与える電源電圧を切換えるフォトカプラからなる第２のスイッチング素子、傾斜波形発生回路の傾斜波形発生電位を切換えるツェナーダイオード、ツェナーダイオードを電気的に短絡可能なフォトカプラからなる第３のスイッチング素子を設け、第１のスイッチング素子および第２のスイッチング素子および第３のスイッチング素子を切換えることで１つの傾斜波形発生回路から第１の傾斜波形電圧と第２の傾斜波形電圧とを発生させるとともに、第２の傾斜波形電圧を発生させてから第１の傾斜波形電圧を発生させるまでの間に第２のスイッチング素子の状態を一旦切換えてから再度元の状態に戻すことを特徴とする。
【００１７】
これにより、大画面化、高精細化されたパネルにおいても、書込み放電を安定に発生させることができ、パネルの画像表示品質を向上させることができる。また、１つの傾斜波形発生回路から、勾配および到達電位の異なる第１の傾斜波形電圧および第２の傾斜波形電圧を発生させることが可能となる。また、第１の傾斜波形電圧を波形歪みを低減して発生させることが可能となる。
【発明の効果】
【００１８】
本発明によれば、大画面化、高精細化されたパネルにおいても、書込み放電を安定に発生させることができ、画像表示品質のよいプラズマディスプレイ装置およびパネルの駆動方法を提供することが可能となる。
【発明を実施するための最良の形態】
【００１９】
以下、本発明の実施の形態におけるプラズマディスプレイ装置について、図面を用いて説明する。
【００２０】
（実施の形態）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２１】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２２】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２３】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２４】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２５】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００２６】
次に、パネル１０を駆動するための駆動電圧波形とその動作の概要について説明する。本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００２７】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、全ての放電セルで初期化放電を発生させる全セル初期化動作と、直前のサブフィールドで維持放電を行った放電セルだけで選択的に初期化放電を発生させる選択初期化動作とがある。
【００２８】
書込み期間では、後に続く維持期間において発光させるべき放電セルで選択的に書込み放電を発生し壁電荷を形成する。そして維持期間では、輝度重みに比例した数の維持パルスを表示電極対２４に交互に印加して、書込み放電を発生した放電セルで維持放電を発生させて発光させる。このときの比例定数を「輝度倍率」と呼ぶ。
【００２９】
本実施の形態では、１フィールドを１０のサブフィールド（第１ＳＦ、第２ＳＦ、・・・、第１０ＳＦ）で構成し、各サブフィールドはそれぞれ、例えば（１、２、３、６、１１、１８、３０、４４、６０、８１）の輝度重みを持つものとする。そして、第１ＳＦの初期化期間では全セル初期化動作を行い、第２ＳＦ〜第１０ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００３０】
しかし、本実施の形態は、サブフィールド数や各サブフィールドの輝度重みが上記の値に限定されるものではなく、また、画像信号等にもとづいてサブフィールド構成を切換える構成であってもよい。
【００３１】
なお、本実施の形態では、維持期間の最後に傾斜波形電圧を発生させており、これにより、続くサブフィールドの書込み期間における書込み動作を安定させている。以下、まず駆動電圧波形の概要について説明し、続いて駆動回路の構成について説明する。
【００３２】
図３は、本発明の一実施の形態におけるパネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）の第１サブフィールド（第１ＳＦ）と、選択初期化動作を行うサブフィールド（以下、「選択初期化サブフィールド」と呼称する）の第２サブフィールド（第２ＳＦ）とを示しているが、他のサブフィールドにおける駆動電圧波形もほぼ同様である。また、以下における走査電極ＳＣｉ、維持電極ＳＵｉ、データ電極Ｄｋは、各電極の中から画像データにもとづき選択された電極を表す。
【００３３】
まず、全セル初期化サブフィールドである第１ＳＦについて説明する。
【００３４】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する第１の傾斜波形電圧（以下、「上りランプ波形電圧」と呼称する）を印加する。
【００３５】
なお、本実施の形態では、この上りランプ波形電圧を約１．３Ｖ／μｓｅｃの勾配にして発生させている。
【００３６】
この上りランプ波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３７】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００３８】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｋ（ｋ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００３９】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４０】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００４１】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４２】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４３】
続く維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４４】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４５】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４６】
そして、維持期間の最後には、走査電極ＳＣ１〜走査電極ＳＣｎに、ベース電位となる０（Ｖ）から電圧Ｖｅｒｓに向かって緩やかに上昇する第２の傾斜波形電圧（以下、「消去ランプ波形電圧」と呼称する）を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。
【００４７】
具体的には、維持電極ＳＵ１〜維持電極ＳＵｎを０（Ｖ）に戻した後、ベース電位となる０（Ｖ）から放電開始電圧を超える電圧Ｖｅｒｓに向かって上昇する第２の傾斜波形電圧である消去ランプ波形電圧を、第１の傾斜波形電圧である上りランプ波形電圧よりも急峻な勾配、例えば約１０Ｖ／μｓｅｃの勾配で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた所定電位である電圧Ｖｅｒｓに到達したら、走査電極ＳＣ１〜走査電極ＳＣｎに印加する電圧をベース電位となる０（Ｖ）まで降下させる。
【００４８】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。以下、この消去ランプ波形電圧によって発生させる維持期間の最後の放電を「消去放電」と呼称する。
【００４９】
なお、本実施の形態では、電圧Ｖｅｒｓの電圧値を維持パルス電圧Ｖｓ（ここでは、２００（Ｖ））よりもやや低い電圧、例えば、１９０（Ｖ）に設定しているが、ここでは電圧Ｖｅｒｓの電圧値を、維持パルス電圧Ｖｓ−１０（Ｖ）以上かつ維持パルス電圧Ｖｓ＋１０（Ｖ）以下の電圧範囲に設定することが望ましい。電圧Ｖｅｒｓの電圧値をこの上限値よりも大きくすると壁電圧の調整が過剰となり、また、下限値よりも小さくすると壁電圧の調整が不足して、それぞれ続く書込み動作を安定に行えない恐れがあるためである。
【００５０】
また、本実施の形態では、消去ランプ波形電圧の勾配を約１０Ｖ／μｓｅｃにする構成を説明したが、この勾配は、２Ｖ／μｓｅｃ以上２０Ｖ／μｓｅｃ以下に設定することが望ましい。勾配をこの上限値よりも急峻にすると壁電圧を調整するための放電が微弱な放電とならず、また、勾配をこの下限値よりも緩やかにすると放電そのものが微弱になりすぎてしまい、それぞれ壁電圧の調整がうまく行えない恐れがあるためである。
【００５１】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００５２】
次に、本実施の形態におけるプラズマディスプレイ装置の構成について説明する。図４は、本発明の一実施の形態におけるプラズマディスプレイ装置の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００５３】
画像信号処理回路４１は、入力された画像信号ｓｉｇをサブフィールド毎の発光・非発光を示す画像データに変換する。
【００５４】
タイミング発生回路４５は、水平同期信号Ｈおよび垂直同期信号Ｖにもとづき各回路ブロックの動作を制御する各種のタイミング信号を発生し、それぞれの回路ブロックへ供給する。
【００５５】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路（図示せず）、複数の走査ＩＣを備え書込み期間において走査電極ＳＣ１〜走査電極ＳＣｎに印加する走査パルス電圧を発生するための走査パルス発生回路（図示せず）を有する。そして、タイミング信号にもとづいて各走査電極ＳＣ１〜走査電極ＳＣｎをそれぞれ駆動する。
【００５６】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。
【００５７】
維持電極駆動回路４４は、維持パルス発生回路（図示せず）および電圧Ｖｅ１、電圧Ｖｅ２を発生するための回路（図示せず）を備え、タイミング信号にもとづいて維持電極ＳＵ１〜維持電極ＳＵｎを駆動する。
【００５８】
次に、走査電極駆動回路４３の詳細とその動作について説明する。
【００５９】
図５は、本発明の一実施の形態におけるプラズマディスプレイ装置１の走査電極駆動回路４３の構成を示す回路図である。走査電極駆動回路４３は、維持パルスを発生させる維持パルス発生回路５０、初期化波形を発生させる初期化波形発生回路５３、走査パルスを発生させる走査パルス発生回路５４を備え、走査パルス発生回路５４のそれぞれの出力はパネル１０の走査電極ＳＣ１〜走査電極ＳＣｎのそれぞれに接続されている。なお、図５には、スイッチング素子Ｑ１２を用いた分離回路およびスイッチング素子Ｑ１３を用いた分離回路を示している。また、以下の説明においてスイッチング素子を導通させる動作を「オン」、遮断させる動作を「オフ」と表記し、スイッチング素子をオンさせる信号を「Ｈｉ」、オフさせる信号を「Ｌｏ」と表記する。
【００６０】
維持パルス発生回路５０は、電力回収回路５１とクランプ回路５２とを備えている。電力回収回路５１は、電力回収用のコンデンサＣ１、スイッチング素子Ｑ１、スイッチング素子Ｑ２、逆流防止用のダイオードＤ１、逆流防止用のダイオードＤ２、共振用のインダクタＬ１を有している。なお、電力回収用のコンデンサＣ１は電極間容量Ｃｐに比べて十分に大きい容量を持ち、電力回収回路５１の電源として働くように、電圧値Ｖｓの半分の約Ｖｓ／２に充電されている。クランプ回路５２は、走査電極ＳＣ１〜走査電極ＳＣｎを電圧Ｖｓにクランプするためのスイッチング素子Ｑ３、走査電極ＳＣ１〜走査電極ＳＣｎを０（Ｖ）にクランプするためのスイッチング素子Ｑ４を有している。そして、タイミング発生回路４５から出力されるタイミング信号にもとづき各スイッチング素子を切換えて維持パルス電圧Ｖｓを発生させる。
【００６１】
維持パルス発生回路５０において、例えば、維持パルス波形を立ち上げる際には、スイッチング素子Ｑ１をオンにして電極間容量ＣｐとインダクタＬ１とを共振させ、電力回収用のコンデンサＣ１からスイッチング素子Ｑ１、ダイオードＤ１、インダクタＬ１を通して走査電極ＳＣ１〜走査電極ＳＣｎに電力を供給する。そして、走査電極ＳＣ１〜走査電極ＳＣｎの電圧が電圧Ｖｓに近づいた時点で、スイッチング素子Ｑ３をオンにして、走査電極ＳＣ１〜走査電極ＳＣｎを電圧Ｖｓにクランプする。なお、スイッチング素子Ｑ１２がオフであっても、ＭＯＳＦＥＴには、スイッチング動作を行う部分に対してボディダイオードと呼ばれる寄生ダイオードが逆並列（スイッチング動作を行う部分に対して並列に、かつスイッチング動作により電流が流れる方向とは逆方向が順方向となるよう）に生成されるため、スイッチング素子Ｑ３をオンにすれば、このボディダイオードを介して走査電極ＳＣ１〜走査電極ＳＣｎを電圧Ｖｓにクランプすることができる。
【００６２】
逆に、維持パルス波形を立ち下げる際には、スイッチング素子Ｑ２をオンにして電極間容量ＣｐとインダクタＬ１とを共振させ、電極間容量ＣｐからインダクタＬ１、ダイオードＤ２、スイッチング素子Ｑ２を通して電力回収用のコンデンサＣ１に電力を回収する。そして、走査電極ＳＣ１〜走査電極ＳＣｎの電圧が０（Ｖ）に近づいた時点で、スイッチング素子Ｑ４をオンにして、走査電極ＳＣ１〜走査電極ＳＣｎを０（Ｖ）にクランプする。
【００６３】
初期化波形発生回路５３は、スイッチング素子Ｑ１１、コンデンサＣ１０、コンデンサＣ１０に電気的に直列に接続されたツェナーダイオードＤ１０、抵抗Ｒ１０を有し、電圧Ｖｉ２までランプ状に緩やかに上昇する初期化動作時の上りランプ波形電圧を発生する傾斜波形発生回路であるミラー積分回路５５と、入力端子ＩＮａにコレクタが接続されたスイッチング素子Ｑ８、入力端子ＩＮａとベースとの間に挿入された抵抗Ｒ８、抵抗Ｒ８にカソードが接続されたツェナーダイオードＤ８、スイッチング素子Ｑ８のエミッタと抵抗Ｒ１０との間に電気的に直列に接続された抵抗Ｒ１２を有しミラー積分回路５５に入力する定電流を発生する定電流発生回路６０と、スイッチング素子Ｑ１４、コンデンサＣ１２を有し、電圧Ｖｉ４までランプ状に緩やかに下降する下りランプ波形電圧を発生するミラー積分回路５６と、入力端子ＩＮｂにコレクタが接続されたスイッチング素子Ｑ９、入力端子ＩＮｂとベースとの間に挿入された抵抗Ｒ９、抵抗Ｒ９にカソードが接続されたツェナーダイオードＤ９、スイッチング素子Ｑ９のエミッタに電気的に直列に接続された抵抗Ｒ１１を有しミラー積分回路５６に入力する定電流を発生する定電流発生回路６１とを備えている。なお、ミラー積分回路５５に備えられたツェナーダイオードＤ１０は、全セル初期化動作時（ここでは、第１ＳＦの初期化期間）において上りランプ波形電圧を発生させる前に駆動波形を急峻に電圧Ｖｉ１まで立ち上げるための働き、すなわち傾斜波形発生初期電位（上りランプ波形電圧が発生する初期電位）を与える働きを有する。また、定電流発生回路６０には、発生させる定電流の電流値を変更するための抵抗Ｒ１３が備えられている。
【００６４】
そして、本実施の形態においては、１つのミラー積分回路５５で、初期化動作時の上りランプ波形電圧と、維持期間の最後に発生させる消去ランプ波形電圧との２つの異なる傾斜波形電圧を発生させることができるように初期化波形発生回路５３を構成している。
【００６５】
具体的には、初期化波形発生回路５３は、電圧Ｖｒ（ここでは、３３０（Ｖ））と電圧Ｖｅｒｓ（ここでは、１９０（Ｖ））とを分離するためのスイッチング素子Ｑ１５、電圧Ｖｅｒｓを発生する電源への逆流を防止するためのダイオードＤ１２、スイッチング素子Ｑ１５のゲートに与える電圧を調整するための抵抗Ｒ１４、抵抗Ｒ１５、ツェナーダイオードＤ１１とを有し、ミラー積分回路５５に与える電源電圧を上りランプ波形電圧を発生させるときに用いる電圧Ｖｒと消去ランプ波形電圧を発生させるときに用いる電圧Ｖｅｒｓとで切換える電源電圧切換え回路５７と、第１のスイッチング素子であるフォトカプラＰＣ１と、第２のスイッチング素子であるフォトカプラＰＣ３と、第３のスイッチング素子であるフォトカプラＰＣ２と、フォトカプラＰＣ２をオフさせるときに用いるダイオードＤ２０および抵抗Ｒ２０とを有する。
【００６６】
フォトカプラＰＣ１には抵抗Ｒ１３が接続され、フォトカプラＰＣ１のトランジスタが導通したときに抵抗Ｒ１２と抵抗Ｒ１３とが電気的に並列に接続されるように構成されている。すなわち、フォトカプラＰＣ１は、定電流発生回路６０が発生する定電流の電流値を切換える働きを有する。フォトカプラＰＣ２はツェナーダイオードＤ１０の両端に接続され、フォトカプラＰＣ２のトランジスタが導通したときにツェナーダイオードＤ１０が電気的に短絡されるように構成されている。すなわち、フォトカプラＰＣ２は、傾斜波形発生回路であるミラー積分回路５５の、傾斜波形発生初期電位、すなわち上りランプ波形電圧が発生する初期電位を切換える働きを有する。なお、ダイオードＤ２０は、アノードを電圧Ｖａに、カソードをフォトカプラＰＣ２のトランジスタのコレクタに接続して設け、抵抗Ｒ２０は、コンデンサＣ１０と接地電位間に挿入して設ける。フォトカプラＰＣ３は、電源電圧切換え回路５７に接続され、フォトカプラＰＣ３のトランジスタが遮断されているときにはスイッチング素子Ｑ１５が導通してミラー積分回路５５に電圧Ｖｒを与えることができ、フォトカプラＰＣ３のトランジスタが導通しているときにはスイッチング素子Ｑ１５が遮断されてミラー積分回路５５に電圧Ｖｅｒｓを与えることができるように構成されている。
【００６７】
なお、フォトカプラＰＣ１、フォトカプラＰＣ２、フォトカプラＰＣ３は、電流制限用の抵抗Ｒ１６、抵抗Ｒ１７、抵抗Ｒ１８がそれぞれのフォトカプラの発光側の入力端子に接続されており、また、抵抗Ｒ１６、抵抗Ｒ１７、抵抗Ｒ１８はそれぞれの他端が互いに電気的に接続されて入力端子ＩＮｃとなっている。したがって、入力端子ＩＮｃに「Ｈｉ」（例えば、５（Ｖ））または「Ｌｏ」（例えば、０（Ｖ））を印加することで、フォトカプラＰＣ１、フォトカプラＰＣ２、フォトカプラＰＣ３は、同時に導通または遮断するように構成されている。ただし、本実施の形態においては、フォトカプラＰＣ２をオフさせるための動作として、フォトカプラＰＣ３を単独でオンさせる必要があるため、フォトカプラＰＣ３を単独でオンさせるための入力端子ＩＮｄを設け、入力端子ＩＮｃと入力端子ＩＮｄとを論理和演算（ここでは、アノードを入力端子ＩＮｄとするダイオードＤ２１のカソードと、アノードを入力端子ＩＮｃとするダイオードＤ２２のカソードとを互いに接続）し、抵抗Ｒ１８を介してフォトカプラＰＣ３の受光側の入力端子に入力している。
【００６８】
したがって、ミラー積分回路５５は、入力端子ＩＮｃに「Ｌｏ」が印加されたときには、第１の傾斜波形電圧である初期化動作時の上りランプ波形電圧を発生させることができる。そして、入力端子ＩＮｃに「Ｈｉ」が印加されたときには、フォトカプラＰＣ１のトランジスタが導通し抵抗Ｒ１２と抵抗Ｒ１３とが電気的に並列に接続されてミラー積分回路５５に入力する定電流の電流値が大きくなり、かつフォトカプラＰＣ２のトランジスタが導通してツェナーダイオードＤ１０が電気的に短絡され、かつフォトカプラＰＣ３のトランジスタが導通してミラー積分回路５５に電圧Ｖｅｒｓが与えられて、ミラー積分回路５５は、第１の傾斜波形電圧である上りランプ波形電圧よりも急峻な勾配で電圧Ｖｅｒｓまで上昇する第２の傾斜波形電圧である消去ランプ波形電圧を発生させることができる。
【００６９】
例えば、初期化波形における上りランプ波形電圧を発生させる場合には入力端子ＩＮｃに「Ｌｏ」を入力するとともに、入力端子ＩＮａに所定の電圧（例えば、１５（Ｖ））を印加して、入力端子ＩＮａを「Ｈｉ」にする。これによりツェナーダイオードＤ１０のツェナー電圧にもとづく電圧Ｖｉ１まで走査電極駆動回路４３の出力電圧は急峻に増加し、その後、抵抗Ｒ１２からコンデンサＣ１０に向かって一定の電流が流れ、スイッチング素子Ｑ１１のソース電圧がランプ状に上昇し、走査電極駆動回路４３の出力電圧もランプ状に上昇する。
【００７０】
また、全セル初期化動作および選択初期化動作の初期化波形における下りランプ波形電圧を発生させる場合には、入力端子ＩＮｂに所定の電圧（例えば、１５（Ｖ））を印加して、入力端子ＩＮｂを「Ｈｉ」にする。すると、抵抗Ｒ１１からコンデンサＣ１２に向かって一定の電流が流れ、スイッチング素子Ｑ１４のドレイン電圧がランプ状に下降し、走査電極駆動回路４３の出力電圧もランプ状に下降し始める。
【００７１】
また、維持期間の最後において消去ランプ波形電圧を発生させる場合には、入力端子ＩＮｃに「Ｈｉ」を入力するとともに、入力端子ＩＮａに所定の電圧（例えば、１５（Ｖ））を印加して、入力端子ＩＮａを「Ｈｉ」にする。これにより抵抗Ｒ１２と抵抗Ｒ１３との合成抵抗からコンデンサＣ１０に向かって一定の電流が流れ、スイッチング素子Ｑ１１のソース電圧が、第１の傾斜波形電圧である上りランプ波形電圧よりも急峻な勾配でランプ状に上昇し、走査電極駆動回路４３の出力電圧も同様の勾配でランプ状に上昇し始める。
【００７２】
続いて、これらの動作を、タイミングチャートを用いて説明する。
【００７３】
図６は、本発明の一実施の形態における全セル初期化期間の走査電極駆動回路４３の動作の一例を説明するためのタイミングチャートである。なお、この図面では全セル初期化動作時の駆動波形を例にして説明するが、選択初期化動作において下りランプ波形電圧を発生させる際は、図６に説明する下りランプ波形電圧を発生させる際と同様の制御を行うものとする。
【００７４】
また、図６では、全セル初期化動作を行う駆動電圧波形を期間Ｔ１０〜期間Ｔ１４で示した５つの期間に分割し、それぞれの期間について説明する。また、電圧Ｖｉ３は電圧Ｖｓに等しいものとし、電圧Ｖｉ２は電圧Ｖｒに等しいものとし、電圧Ｖｉ４は負の電圧Ｖａに電圧Ｖｓｅｔ２を重畳させた電圧（Ｖａ＋Ｖｓｅｔ２）に等しいものとして説明する。また、図面にはスイッチング素子をオンさせる信号を「ＯＮ」、オフさせる信号を「ＯＦＦ」と表記する。
【００７５】
また、図６には、消去ランプ波形電圧の発生と上りランプ波形電圧の発生との違いを示すため、消去ランプ波形電圧を発生させる期間Ｔ８〜期間Ｔ９の動作もあわせて示す。
【００７６】
まず、維持期間の最後に消去ランプ波形電圧を発生させる際の動作について説明する。
【００７７】
（期間Ｔ８）
期間Ｔ８では、入力端子ＩＮｃを「Ｈｉ」にし、入力端子ＩＮａを「Ｈｉ」にする。これにより、フォトカプラＰＣ１、フォトカプラＰＣ２、フォトカプラＰＣ３が導通し、抵抗Ｒ１２と抵抗Ｒ１３との合成抵抗からコンデンサＣ１０に向かって一定の電流が流れ、スイッチング素子Ｑ１１のソース電圧がランプ状に上昇し、走査電極駆動回路４３の出力電圧は、上りランプ波形電圧よりも急峻な勾配でランプ状に上昇し始める。こうして、ベース電位となる０（Ｖ）から電圧Ｖｅｒｓに向かって上昇する第２の傾斜波形電圧である消去ランプ波形電圧を発生させる。そして、この消去ランプ波形電圧が上昇する間に走査電極ＳＣｉと維持電極ＳＵｉとの間の電圧差は放電開始電圧を超え、これにより、走査電極ＳＣｉと維持電極ＳＵｉとの間に微弱な放電を発生させることができ、この微弱な放電を消去ランプ波形電圧が上昇する期間、継続させることができる。
【００７８】
そして、本実施の形態では、急激な電圧変化による瞬間的な強い放電ではなく、印加電圧を徐々に（ここでは、１０Ｖ／μｓｅｃの勾配で）上昇させる消去ランプ波形電圧により走査電極ＳＣｉと維持電極ＳＵｉとの間に微弱な消去放電を継続して発生させる構成としている。したがって、たとえ大画面化、高精細化され、駆動インピーダンスが増大したパネルであっても、駆動回路から発生される駆動波形にリンギング等の波形歪みが生じる恐れを低減し、消去放電を安定に発生させることができる。これにより、走査電極ＳＣｉ上および維持電極ＳＵｉ上の壁電圧を、続く書込みを安定に発生させるに最適な状態に調整することができる。
【００７９】
なお、図面には示していないが、このときデータ電極Ｄ１〜データ電極Ｄｍは０（Ｖ）に保持されているので、データ電極Ｄ１〜データ電極Ｄｍ上には正の壁電圧が形成される。
【００８０】
（期間Ｔ９）
期間Ｔ９では、入力端子ＩＮｃを「Ｌｏ」にするとともに入力端子ＩＮａを「Ｌｏ」にする。これによりミラー積分回路５５は動作を停止する。
【００８１】
ここで、フォトカプラは、オン状態からオフ状態に遷移するときにフォトカプラの受光側トランジスタ（以下、「２次側」とも記す。また、フォトカプラの発光側を、以下、「１次側」とも記す）にコレクタ電流を流してベースキャリアを消滅させないとオン状態が保持されるという特性を有する。フォトカプラＰＣ２に関しては、ツェナーダイオードＤ１０が導通している状態、すなわちフォトカプラＰＣ２の２次側のエミッタ−コレクタ間が同電位の状態で入力端子ＩＮｃが「Ｌｏ」になるため、フォトカプラＰＣ２の１次側がオフしても、２次側にはコレクタ電流がほとんど流れず、２次側はオン状態が保持されてしまう。
【００８２】
仮に、フォトカプラＰＣ２の２次側のオン状態が保持されたままで、続く初期化期間における上りランプ波形電圧を発生させる動作を行うと、ツェナーダイオードＤ１０が電気的に短絡状態となってしまうため、図面の期間Ｔ１２に破線で示すような波形歪みが発生してしまう。そこで、本実施の形態では、次の動作、すなわち第２の傾斜波形電圧である消去ランプ波形電圧を発生させてから第１の傾斜波形電圧である上りランプ波形電圧を発生させるまでの間に第２のスイッチング素子であるフォトカプラＰＣ３の状態を一旦切換えてから再度元の状態に戻す動作を行い、フォトカプラＰＣ２の２次側をオン状態からオフ状態に遷移させる。
【００８３】
フォトカプラの動作速度は一般的にはそれほど速くはない。そのため、入力端子ＩＮａが「Ｌｏ」になってから一定の時間遅れの後（ここでは、約２０μｓｅｃ後）の時刻ｔ９１でフォトカプラＰＣ３がオフする。これにより、スイッチング素子Ｑ１５が導通して電源電位Ｂは電圧Ｖｅｒｓから電圧Ｖｒになる。
【００８４】
電源電位Ｂが電圧Ｖｒに到達した後（ここでは、入力端子ＩＮａが「Ｌｏ」になってから約４０μｓｅｃ後）の時刻ｔ９２で、入力端子ＩＮｄに所定の電圧（例えば、５（Ｖ））を印加して、入力端子ＩＮｄを「Ｈｉ」にする。こうして、フォトカプラＰＣ３だけを単独でオンさせる。
【００８５】
フォトカプラＰＣ３がオンすることで、スイッチング素子Ｑ１５は遮断される。この時点では、電源電位Ｂの電圧は電圧Ｖｒのままであるが、抵抗Ｒ２０を介して電流が接地電位に流れるため、時刻ｔ９３（ここでは、入力端子ＩＮｄが「Ｈｉ」になってから約３０μｓｅｃ後）から電源電位Ｂの電圧は徐々に降下し始める。これにより、フォトカプラＰＣ２のエミッタ電位が降下し、図５に破線で示すように、ダイオードＤ２０を介してフォトカプラＰＣ２の２次側にコレクタ電流が流れる。そして、このコレクタ電流が流れることで、フォトカプラＰＣ２の２次側は、オン状態からオフ状態に遷移していく。
【００８６】
フォトカプラＰＣ２の２次側がオフ状態に遷移した時刻ｔ９４の後は、電源電位Ｂを電圧Ｖｅｒｓから電圧Ｖｒにするために、入力端子ＩＮｄを「Ｌｏ」にしてフォトカプラＰＣ３をオフにする。これにより、続く初期化期間の前の時刻ｔ９５で、電源電位Ｂは電圧Ｖｅｒｓから電圧Ｖｒになる。なお、入力端子ＩＮｄを「Ｈｉ」にする期間は、フォトカプラＰＣ２の２次側を十分にオフ状態に遷移させることができる長さ（ここでは、約４０μｓｅｃ）とすることが望ましい。
【００８７】
以上のように、本実施の形態では、フォトカプラＰＣ２の２次側をオン状態からオフ状態に遷移させることで、続く初期化期間における上りランプ波形電圧を、波形歪みを低減して発生させることができる。
【００８８】
なお、ここには図示はしていないが、分離回路を構成するスイッチング素子Ｑ１３には、入力端子ＩＮｂに入力する信号とは逆極性の信号を入力するように構成している。
【００８９】
次に、全セル初期化期間に初期化波形電圧を発生させる際の動作について説明する。
【００９０】
（期間Ｔ１０）
期間Ｔ１０では、維持パルス発生回路５０のスイッチング素子Ｑ１をオンにする。すると、電極間容量ＣｐとインダクタＬ１とが共振し、電力回収用のコンデンサＣ１からスイッチング素子Ｑ１、ダイオードＤ１、インダクタＬ１を通して走査電極ＳＣ１〜走査電極ＳＣｎの電圧が上がり始める。
【００９１】
（期間Ｔ１１）
次に、維持パルス発生回路５０のスイッチング素子Ｑ３をオンにする。するとスイッチング素子Ｑ３およびスイッチング素子Ｑ１２を介して走査電極ＳＣ１〜走査電極ＳＣｎに電圧Ｖｓが印加され、走査電極ＳＣ１〜走査電極ＳＣｎの電位は電圧Ｖｓとなる。
【００９２】
（期間Ｔ１２）
次に、入力端子ＩＮｃを「Ｌｏ」に維持したまま入力端子ＩＮａを「Ｈｉ」にする。フォトカプラＰＣ１、フォトカプラＰＣ２、フォトカプラＰＣ３は遮断されているので、これにより、走査電極駆動回路４３の出力電圧は、電圧ＶｓからツェナーダイオードＤ１０のツェナー電圧にもとづく電圧Ｖｉ１まで急峻に増加する。その後、抵抗Ｒ１２からコンデンサＣ１０に向かって一定の電流が流れ、スイッチング素子Ｑ１１のソース電圧がランプ状に上昇し、走査電極駆動回路４３の出力電圧は、消去ランプ波形電圧よりも緩やかな勾配でランプ状に上昇し始める。
【００９３】
この出力電圧が電圧Ｖｒ（本実施の形態では、電圧Ｖｉ２と等しい）まで上昇したら、その後、入力端子ＩＮａを「Ｌｏ」にする。具体的には入力端子ＩＮａに、例えば０（Ｖ）を印加する。
【００９４】
期間Ｔ１２では、このようにして、放電開始電圧以下となる電圧Ｖｉ１から、放電開始電圧を超える電圧Ｖｒ（本実施の形態では、電圧Ｖｉ２と等しい）に向かって緩やかに上昇する第１の傾斜波形電圧である上りランプ波形電圧を発生させ、走査電極ＳＣ１〜走査電極ＳＣｎに印加する。この電圧上昇は、入力端子ＩＮａが「Ｈｉ」の間継続する。そして、この上りランプ波形電圧が上昇する間に走査電極ＳＣｉと維持電極ＳＵｉとの間の電圧差は放電開始電圧を超え、これにより、走査電極ＳＣｉと維持電極ＳＵｉとの間に微弱な初期化放電を発生させることができ、この微弱な放電を上りランプ波形電圧が上昇する期間、継続させることができる。
【００９５】
（期間Ｔ１３）
入力端子ＩＮａを「Ｌｏ」にすると走査電極ＳＣ１〜走査電極ＳＣｎの電圧が電圧Ｖｓ（本実施の形態では、電圧Ｖｉ３と等しい）まで低下する。そしてその後、スイッチング素子Ｑ３をオフにする。
【００９６】
（期間Ｔ１４）
次に、下りランプ波形電圧を発生するミラー積分回路５６の入力端子ＩＮｂを「Ｈｉ」にする。すると、定電流発生回路６１からコンデンサＣ１２に向かって一定の電流が流れ、スイッチング素子Ｑ１４のドレイン電圧がランプ状に下降し、走査電極駆動回路４３の出力電圧もランプ状に下降し始める。そして、初期化期間が終了する直前に、入力端子ＩＮｂを「Ｌｏ」とする。具体的には入力端子ＩＮｂに、例えば０（Ｖ）を印加する。
【００９７】
なお、図示はしていないが、維持期間および期間Ｔ１０〜期間Ｔ１３の間はスイッチング素子Ｑ１３はオンにし、期間Ｔ１４ではスイッチング素子Ｑ１３はオフにする。また、入力端子ＩＮｃは、少なくとも上りランプ波形電圧を発生させる期間を「Ｌｏ」にすればよく、それ以外の期間は「Ｈｉ」であってもよい。
【００９８】
また、下りランプ波形電圧は、電圧Ｖａまで降下させる構成であってもよいが、図６に示すように、下りランプ波形電圧が電圧（Ｖａ＋Ｖｓｅｔ２）に到達した時点で降下を停止して電圧Ｖｃに上昇させる構成としてもよい。
【００９９】
期間Ｔ１４では、このようにして、下りランプ波形電圧を発生させ、走査電極ＳＣ１〜走査電極ＳＣｎに印加する。
【０１００】
以上のようにして、走査電極駆動回路４３は、第１の傾斜波形電圧である上りランプ波形電圧、第２の傾斜波形電圧である消去ランプ波形電圧、下りランプ波形電圧を発生させる。
【０１０１】
以上説明したように、本実施の形態によれば、維持期間の最後において、すなわち、維持パルスを表示電極対に印加し終わった後に、上りランプ波形電圧よりも勾配を急峻にした消去ランプ波形電圧を走査電極ＳＣ１〜走査電極ＳＣｎに印加して微弱な消去放電を持続して発生させる構成とすることで、大画面化、高精細化されたパネルにおいても、書込み放電を発生させるために必要な電圧を高くすることなく安定に書込み放電を発生させることができ、画像表示品質を向上させることが可能となる。また、フォトカプラＰＣ１、フォトカプラＰＣ２、フォトカプラＰＣ３の導通と遮断との切換えにより、ミラー積分回路５５に入力する定電流の電流値、ツェナーダイオードＤ１０の有無、ミラー積分回路５５に与える電源電圧を切換えるように構成することで、１つのミラー積分回路５５を用いて、勾配および到達電位の異なる２つの傾斜波形電圧、すなわち、第１の傾斜波形電圧である上りランプ波形電圧と第２の傾斜波形電圧である消去ランプ波形電圧とを発生させることが可能となる。さらに、全セル初期化動作の直前に、フォトカプラＰＣ２の２次側にオン状態が残らないようにするための処理を行い、フォトカプラＰＣ２の２次側をオフ状態に遷移させているので、全セル初期化動作における上りランプ波形電圧を、波形歪みを低減して発生させることができる。
【０１０２】
なお、傾斜波形電圧の波形歪みをさらに低減させるために、ミラー積分回路にエミッタフォロワを追加する構成としてもかまわない。図７は、本発明の一実施の形態における初期化波形発生回路の他の構成例を示す回路図である。例えば、図５に示したミラー積分回路５５に、図７に示すようにトランジスタＱ２０および抵抗Ｒ２１を有するエミッタフォロワを追加してミラー積分回路５８とする構成としてもよい。このような回路構成とすることで、傾斜波形電圧を発生させる際の波形歪み、特に、スイッチング素子Ｑ１１のドレイン−ソース間電圧の低下にともなうゲート入力容量の増加により、電圧上昇が終了して一定電圧に切り換わるところに発生する波形のなまりを低減することが可能となる。
【０１０３】
なお、本実施の形態では、消去ランプ波形電圧を走査電極ＳＣ１〜走査電極ＳＣｎに印加する構成を説明したが、最後の維持パルスを印加する電極が走査電極ＳＣ１〜走査電極ＳＣｎの場合には、消去ランプ波形電圧を維持電極ＳＵ１〜維持電極ＳＵｎに印加する構成とすることもできる。しかし、本実施の形態においては、最後の維持パルスを印加する電極を維持電極ＳＵ１〜維持電極ＳＵｎにし、消去ランプ波形電圧を走査電極ＳＣ１〜走査電極ＳＣｎに印加する構成にする方が望ましい。
【０１０４】
なお、本実施の形態では、電力回収回路５１において、維持パルスの立ち上がりと立ち下がりとで１つのインダクタを共通に用いる構成を説明したが、複数のインダクタを用い、維持パルスの立ち上がりと立ち下がりとで異なるインダクタを使用する構成としてもかまわない。
【０１０５】
また、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【０１０６】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（以下、「ＡＢＢＡ電極構造」と呼称する）のパネルにおいても、有効である。
【０１０７】
なお、本実施の形態において示した具体的な各数値、例えば電圧Ｖｅｒｓの電圧値や消去パルス波形電圧の勾配等は、表示電極対数１０８０の４２インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１０８】
本発明は、大画面化、高精細化されたパネルにおいても、書込み放電を安定に発生させることができるので、プラズマディスプレイ装置およびパネルの駆動方法として有用である。
【図面の簡単な説明】
【０１０９】
【図１】本発明の一実施の形態におけるパネルの構造を示す分解斜視図
【図２】同パネルの電極配列図
【図３】同パネルの各電極に印加する駆動電圧波形図
【図４】本発明の一実施の形態におけるプラズマディスプレイ装置の回路ブロック図
【図５】同プラズマディスプレイ装置の走査電極駆動回路の構成を示す回路図
【図６】本発明の一実施の形態における全セル初期化期間の走査電極駆動回路の動作の一例を説明するためのタイミングチャート
【図７】本発明の一実施の形態における初期化波形発生回路の他の構成例を示す回路図
【符号の説明】
【０１１０】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
５０    維持パルス発生回路
５１    電力回収回路
５２    クランプ回路
５３    初期化波形発生回路
５４    走査パルス発生回路
５５，５６，５８    ミラー積分回路
５７    電源電圧切換え回路
６０，６１    定電流発生回路
ＰＣ１，ＰＣ２，ＰＣ３    フォトカプラ
Ｑ１，Ｑ２，Ｑ３，Ｑ４，Ｑ８，Ｑ９，Ｑ１１，Ｑ１２，Ｑ１３，Ｑ１４，Ｑ１５    スイッチング素子
Ｃ１，Ｃ１０，Ｃ１２    コンデンサ
Ｌ１    インダクタ
Ｄ１，Ｄ２，Ｄ１２，Ｄ２０，Ｄ２１，Ｄ２２    ダイオード
Ｄ８，Ｄ９，Ｄ１０，Ｄ１１    ツェナーダイオード
Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ２０，Ｒ２１    抵抗
Ｑ２０    トランジスタ
【図１】
2009186718.tif 000003
【図２】
2009186718.tif 000004
【図３】
2009186718.tif 000005
【図４】
2009186718.tif 000006
【図５】
2009186718.tif 000007
【図６】
2009186718.tif 000008
【図７】
2009186718.tif 000009